(57)【要約】    【課題】  防水性、絶縁性、屈曲性に優れるとともに、シート状発熱体の膨張変形の発生を防止することのできる、可撓性シート状発熱体を提供すること。    【解決手段】  可撓性シート蒸発熱体１０は、不織布構成基材と導電性繊維とからなるシート状導電性不織布１と、該シート状導電性不織布１の片面側に圧着された帯状の電極３とを有してなり、該電極３は該シート状導電性不織布１に導電性粘着資材２によって接着されており、該シート状導電性不織布１は可撓性の熱可塑性樹脂製フィルム５によりラミネート加工されていることを、主たる構成とする。【選択図】  図１
2006108055.tif 000002
【特許請求の範囲】
【請求項１】
不織布構成基材と導電性繊維とからなるシート状導電性不織布と、該シート状導電性不織布の片面側に圧着された帯状の電極とを有してなるシート状発熱体であって、該電極は該シート状導電性不織布に導電性粘着資材によって接着されており、該シート状導電性不織布は可撓性の熱可塑性樹脂製フィルムによりラミネート加工されていることを特徴とする、可撓性シート状発熱体。 
【請求項２】
前記導電性粘着資材は、導電性物質としてニッケル粉末を用いた導電性両面粘着テープであることを特徴とする、請求項１に記載の可撓性シート状発熱体。 
【発明の詳細な説明】
【技術分野】
【０００１】
本発明は可撓性シート状発熱体に係り、特に、防水性、絶縁性、屈曲性に優れるとともに、シート状発熱体内の空気膨張による変形の発生を防止することのできる、可撓性シート状発熱体に関する。
【背景技術】
【０００２】
シート状発熱体は、融雪、水道管等の凍結防止、保温用等に用いるためのものであり、従来種々のものが提案され、また製品化されて市場に提供されている。シート状発熱体の取り扱い性、施工性を高め、用途拡大を図るためには、屈曲性、可撓性に優れたものが望ましく、従来、いくつかの提案がなされている。
【０００３】
このうち、特開平１０−０２７６７７「シリカ膜で被覆した面状発熱体」（特許文献１）は、炭素繊維混抄紙などのような比較的粗な組織の面状発熱シートにシリカ溶液を含浸させ硬化させてシリカ膜を形成させることにより、機械的強度を与え、内部組織を固定化し、電気抵抗値を安定させた、電気絶縁性・防水性・耐薬品性をもつ面状発熱体を提案したものである。
【０００４】
また、特開平１０−０２７６７５ 弾性面状発熱体とこれを利用した発熱製品（特許文献２）は、炭素繊維混抄紙または導電性織物などのような面状発熱素材に電極と引出し線をつけた面状発熱素子を、ポリウレタンまたはポリブタジエンなどのようなエラストマーの中に密封状に包被して形成される弾性面状発熱体を提案したものである。
【０００５】
しかし、屋外で使用する融雪用マットあるいは融雪用ボードを主たる用途と想定して構成された特許文献１および２に示された提案は、屈曲性や可撓性がないか、あるいは不充分であり、より屈曲性に優れたシート状発熱体を実現できれば、屋根、玄関先等の融雪、水道等の凍結防止等一般的な利用の他に、冬季間の鉄道、道路の交通安全確保、電力設備、冬季育苗等の農水関連、等に利用が可能になり、冬季寒冷または多雪地域の社会、経済、産業、そして個人生活全般にわたって大きく貢献できる。また特許文献２の提案は、特にエラストマーによる弾性付与を必須構成とし、さらに好適には硬化シリカ膜の形成やポリエチレン等によるラミネートを用いるなど、その構成は複雑であり、製造工程が多くなって製造コスト上も不利であり、難点がある。
【０００６】
かかる従来技術の欠点を解消するため、本願出願人は先に、防水性、絶縁性、屈曲性または可撓性に優れた、新規なるシート状発熱体を提案した（特許文献３、未公開）。すなわち；
（１）  不織布構成基材と導電性繊維とからなるシート状導電性不織布を用いてなるシート状発熱体であって、該導電性不織布には電極が設けられ、該導電性不織布は可撓性の熱可塑性樹脂製フィルムによりラミネート加工されていることを特徴とする、シート状発熱体。 
（２）  前記熱可塑性樹脂製フィルムに係る樹脂は、重縮合系または開環重合系の熱可塑性樹脂であることを特徴とする、（１）に記載のシート状発熱体。 
（３）  前記熱可塑性樹脂製フィルムは、ポリエチレンテレフタレート（ＰＥＴ）等のポリエステル製フィルムか、またはポリイミド製フィルムであることを特徴とする、（１）に記載のシート状発熱体。 
（４）  前記不織布構成基材は和紙原料であり、前記導電性繊維は炭素繊維であることを特徴とする、（１）ないし（３）のいずれかに記載のシート状発熱体。 
（５）  前記電極は、前記導電性不織布の片面側に圧着された帯状の電極であることを特徴とする、（１）ないし（４）のいずれかに記載のシート状発熱体。 
といった各発明である。
【０００７】
【特許文献１】特開平１０−０２７６７７号公報「シリカ膜で被覆した面状発熱体」
【特許文献２】特開平１０−０２７６７５号公報「弾性面状発熱体とこれを利用した発熱製品」
【特許文献３】特願２００３−２０８７２８ 「シート状発熱体、その製造方法およびシート状発熱体製造装置」（特許出願公開前）
【発明の開示】
【発明が解決しようとする課題】
【０００８】
しかし、従来技術においては、使用によりシート状発熱体内部が膨張し、発熱体の一部が膨張変形して、各種用途における使用に支障が生じる場合があった。
本発明が解決しようとする課題は、上記従来技術の問題点を除き、防水性、絶縁性、屈曲性に優れるとともに、シート状発熱体の膨張変形の発生を防止することのできる、可撓性シート状発熱体を提供することである。
【課題を解決するための手段】
【０００９】
本願発明者は上記課題について検討した結果、かかるシート蒸発熱体の膨張変形は、単にシート状導電性不織布上に電極を重ねるのみでラミネート加工することにより生じる現象であり、したがって、両者を密着させた状態でラミネート加工することによって解決できることを見出し、本発明に至った。すなわち、上記課題を解決するための手段として本願で特許請求される発明は、以下のとおりである。
【００１０】
（１）  不織布構成基材と導電性繊維とからなるシート状導電性不織布と、該シート状導電性不織布の片面側に圧着された帯状の電極とを有してなるシート状発熱体であって、該電極は該シート状導電性不織布に導電性粘着資材によって接着されており、該シート状導電性不織布は可撓性の熱可塑性樹脂製フィルムによりラミネート加工されていることを特徴とする、可撓性シート状発熱体。 
（２）  前記導電性粘着資材は、導電性物質としてニッケル粉末を用いた導電性両面粘着テープであることを特徴とする、（１）に記載の可撓性シート状発熱体。
【発明の効果】
【００１１】
本発明の可撓性シート状発熱体は上述のように構成されるため、これによれば、優れた防水性、絶縁性、屈曲性を発揮できるとともに、シート状発熱体の膨張変形の発生を防止することができる。
【発明を実施するための最良の形態】
【００１２】
以下、本発明を図面により詳細に説明する。
図１は、本発明の可撓性シート状発熱体の構成を示す断面視の説明図である。図示するように本可撓性シート蒸発熱体１０は、不織布構成基材と導電性繊維とからなるシート状導電性不織布１と、該シート状導電性不織布１の片面側に圧着された帯状の電極３とを有してなり、該電極３は該シート状導電性不織布１に導電性粘着資材２によって接着されており、該シート状導電性不織布１は可撓性の熱可塑性樹脂製フィルム５によりラミネート加工されていることを、主たる構成とする。
【００１３】
かかる構成により、該シート状導電性不織布１と該電極３とは密着して分離しなくなり、ラミネート加工の際に、内部における余計な空気残留を防止でき、発熱体１０の膨張変形を有効に防止することができる。また、該導電性粘着資材２は電気を通すため、該電極３と該シート状導電性不織布１との導通を妨害せず、良好な発熱を得ることができる。
【００１４】
図において前記導電性粘着資材２としては、導電性物質としてニッケル粉末を用いた導電性両面粘着テープを用いることができる。
【００１５】
具体的には、アルミ箔基材上両面に合成樹脂およびニッケル粉末からなる粘着剤層を形成したもの（例  （株）スリオンテック製導電性両面粘着テープ  製品番号５８０５）などを、好適に用いることができるが、本発明がこれに限定されないことはいうまでもない。
【産業上の利用可能性】
【００１６】
本発明の可撓性シート状発熱体は上述のように構成されるため、シート状発熱体の膨張変形の発生を防止することができ、従来よりも便宜である。したがって、シート状発熱体の各利用分野における利用をさらに拡大することができ、関連各産業分野において利用価値が高い。
【図面の簡単な説明】
【００１７】
【図１】本発明の可撓性シート状発熱体の構成を示す断面視の説明図である。
【符号の説明】
【００１８】
１…シート状導電性不織布
２…導電性粘着資材
３…電極
５…熱可塑性樹脂製フィルム
１０…可撓性シート蒸発熱体
【図１】
2006108055.tif 000003